【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
ユーザ機器が下りリンク信号を受信する方法であって、
前記ユーザ機器が、前記ユーザ機器のサービングセル以外のスモールセルに対するディスカバリ信号ベースの無線リソース測定情報を受信するステップと、
前記ユーザ機器が、前記ディスカバリ信号ベースの無線リソース測定情報に基づいて、ディスカバリ信号送信周期で前記スモールセルのディスカバリ信号を受信するステップと、
前記ユーザ機器が、前記ディスカバリ信号に基づいて、前記スモールセルに対する参照信号受信電力（ＲＳＲＰ）測定を実行するステップと、
を有し、
前記ディスカバリ信号ベースの無線リソース測定情報は、前記ディスカバリ信号の送信タイミング情報を含み、
前記ディスカバリ信号送信周期は、前記ＲＳＲＰ測定が実行される測定周期と同じか、または短い、下りリンク信号受信方法。
【請求項２】
前記ディスカバリ信号は、前記スモールセルのセル特定参照信号及び前記スモールセルの同期信号を含み、
前記スモールセルは、前記スモールセルの物理チャネルが受信される区間でＯＮ状態であり、または、前記ディスカバリ信号送信周期において、前記ディスカバリ信号のみが前記スモールセルから受信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、請求項１に記載の下りリンク信号受信方法。
【請求項３】
前記スモールセルがＯＦＦ状態にあるとき、前記ＲＳＲＰ測定は、前記スモールセルの前記ディスカバリ信号に基づいて実行される、請求項２に記載の下りリンク信号受信方法。
【請求項４】
前記サービングセルから、前記スモールセルに対するセルＯＮ／ＯＦＦ情報を受信するステップを更に有する、請求項２に記載の下りリンク信号受信方法。
【請求項５】
前記スモールセルは、前記ユーザ機器と無線リソース制御接続された状態である、請求項１〜４のいずれか一項に記載の下りリンク信号受信方法。
【請求項６】
前記サービングセルから、前記サービングセルから前記スモールセルにハンドオーバーする命令を受信するステップを更に有する、請求項１〜４のいずれか一項に記載の下りリンク信号受信方法。
【請求項７】
下りリンク信号を受信するユーザ機器であって、
無線周波数（ＲＦ）ユニットと、
前記ＲＦユニットを制御するように構成されたプロセッサと、を備え、
前記プロセッサは、前記ユーザ機器のサービングセル以外のスモールセルに対するディスカバリ信号ベースの無線リソース測定情報を受信するよう前記ＲＦユニットを制御し、前記ディスカバリ信号ベースの無線リソース測定情報に基づいて、ディスカバリ信号送信周期で前記スモールセルのディスカバリ信号を受信するよう前記ＲＦユニットを制御し、前記ディスカバリ信号に基づいて、前記スモールセルに対する参照信号受信電力（ＲＳＲＰ）測定を実行するよう構成され、
前記ディスカバリ信号ベースの無線リソース測定情報は、前記ディスカバリ信号の送信タイミング情報を含み、
前記ディスカバリ信号送信周期は、前記ＲＳＲＰ測定が実行される測定周期と同じか、または短い、ユーザ機器。
【請求項８】
前記ディスカバリ信号は、前記スモールセルのセル特定参照信号及び前記スモールセルの同期信号を含み、
前記スモールセルは、前記スモールセルの物理チャネルが受信される区間でＯＮ状態であり、または、前記ディスカバリ信号送信周期において、前記ディスカバリ信号のみが前記スモールセルから受信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、請求項７に記載のユーザ機器。
【請求項９】
前記スモールセルがＯＦＦ状態にあるとき、前記ＲＳＲＰ測定は、前記スモールセルの前記ディスカバリ信号に基づいて実行される、請求項８に記載のユーザ機器。
【請求項１０】
前記プロセッサは、前記サービングセルから、前記スモールセルに対するセルＯＮ／ＯＦＦ情報を受信するよう前記ＲＦユニットを制御するよう構成される、請求項８に記載のユーザ機器。
【請求項１１】
前記スモールセルは、前記ユーザ機器と無線リソース制御接続された状態である、請求項７〜１０のいずれか一項に記載のユーザ機器。
【請求項１２】
前記プロセッサは、前記サービングセルから、前記サービングセルから前記スモールセルにハンドオーバーする命令を受信するよう前記ＲＦユニットを制御するよう構成される、請求項７〜１０のいずれか一項に記載のユーザ機器。
【請求項１３】
基地局が下りリンク信号を送信する方法であって、
ユーザ機器に、前記ユーザ機器のサービングセルと異なるスモールセルに対するディスカバリ信号ベースの無線リソース測定情報を送信するステップと、
前記ユーザ機器から、前記スモールセルのディスカバリ信号に基づいて、前記ユーザ機器により測定された参照信号受信電力（ＲＳＲＰ）に関する情報を受信するステップと、
を有し、
前記ディスカバリ信号ベースの無線リソース測定情報は、ディスカバリ信号送信周期で送信される前記ディスカバリ信号の送信タイミング情報を含み、
前記ディスカバリ信号送信周期は、前記ＲＳＲＰが測定される測定周期と同じか、または短い、下りリンク信号送信方法。
【請求項１４】
前記ディスカバリ信号は、前記スモールセルのセル特定参照信号及び前記スモールセルの同期信号を含み、
前記スモールセルは、前記スモールセルの物理チャネルが送信される区間でＯＮ状態であり、または、前記ディスカバリ信号送信周期において、前記ディスカバリ信号のみが前記スモールセルから送信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、請求項１３に記載の下りリンク信号送信方法。
【請求項１５】
前記ユーザ機器に、前記スモールセルに対するセルＯＮ／ＯＦＦ情報を送信するステップを更に有する、請求項１４に記載の下りリンク信号送信方法。
【請求項１６】
前記スモールセルは、前記ユーザ機器と無線リソース制御接続された状態である、請求項１４または１５に記載の下りリンク信号送信方法。
【請求項１７】
前記スモールセルの基地局に、前記スモールセルがＯＮ状態となるよう要請するステップと、
前記ユーザ機器に、前記サービングセルから前記スモールセルにハンドオーバーする命令を送信するステップと、
を更に有する、請求項１４または１５に記載の下りリンク信号送信方法。
【請求項１８】
下りリンク信号を送信する基地局であって、
無線周波数（ＲＦ）ユニットと、
前記ＲＦユニットを制御するように構成されたプロセッサと、を備え、
前記プロセッサは、ユーザ機器に、前記ユーザ機器のサービングセルと異なるスモールセルに対するディスカバリ信号ベースの無線リソース測定情報を送信するよう前記ＲＦユニットを制御し、前記ユーザ機器から、前記スモールセルのディスカバリ信号に基づいて、前記ユーザ機器により測定された参照信号受信電力（ＲＳＲＰ）に関する情報を受信するよう前記ＲＦユニットを制御するよう構成され、
前記ディスカバリ信号ベースの無線リソース測定情報は、ディスカバリ信号送信周期で送信される前記ディスカバリ信号の送信タイミング情報を含み、
前記ディスカバリ信号送信周期は、前記ＲＳＲＰが測定される測定周期と同じか、または短い、基地局。
【請求項１９】
前記ディスカバリ信号は、前記スモールセルのセル特定参照信号及び前記スモールセルの同期信号を含み、
前記スモールセルは、前記スモールセルの物理チャネルが送信される区間でＯＮ状態であり、または、前記ディスカバリ信号送信周期において、前記ディスカバリ信号のみが前記スモールセルから送信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、請求項１８に記載の基地局。
【請求項２０】
前記プロセッサは、前記ユーザ機器に、前記スモールセルに対するセルＯＮ／ＯＦＦ情報を送信するよう前記ＲＦユニットを制御するよう構成される、請求項１９に記載の基地局。
【請求項２１】
前記スモールセルは、前記ユーザ機器と無線リソース制御接続された状態である、請求項１８〜２０のいずれか一項に記載の基地局。
【請求項２２】
前記プロセッサは、
前記スモールセルの基地局に、前記スモールセルがＯＮ状態となるよう要請し、
前記ユーザ機器に、前記サービングセルから前記スモールセルにハンドオーバーする命令を送信するよう前記ＲＦユニットを制御するよう構成される、請求項１８〜２０のいずれか一項に記載の基地局。